【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
プロセス制御システムにおける動的ハイパーリンクを提供するための方法であって、
前記プロセス制御システムにおいて定義されたプロセス制御オブジェクトと前記プロセス制御システムによってアクセス可能な知識参照との間の関連付けを特定する動的ハイパーリンクを定義するステップと、
前記動的ハイパーリンクを、前記プロセス制御システムにアクセス可能な、前記プロセス制御システムのいかなる構成データベースとも独立した、前記プロセス制御オブジェクトの指示及び前記知識参照に対応する知識オブジェクトの指示を含む、動的ハイパーリンク・データベースのエントリに格納するステップと、
前記プロセス制御オブジェクトを含む任意のディスプレイ・ビューの実行時に、前記動的ハイパーリンクを確立するステップと、
を含み、前記プロセス制御オブジェクトが、
前記プロセス制御システムのコンピューティング機器上に、前記プロセス制御オブジェクトを含む前記任意のディスプレイ・ビューを展開するステップと、
前記任意のディスプレイ・ビューを展開した後で、前記動的ハイパーリンク・データベースの前記エントリに基づいて、前記プロセス制御オブジェクトに対応する前記知識オブジェクトを判定するステップと、
前記知識参照の指示を表示するステップを含む、前記任意のディスプレイ・ビュー上の前記プロセス制御オブジェクトの近傍に前記動的ハイパーリンクを表示するステップと、を含む動的ハイパーリンクを提供するための方法。
【請求項２】
前記動的ハイパーリンクを定義するステップが、前記プロセス制御オブジェクトの構成の間に前記動的ハイパーリンクを定義するステップを含む、請求項１に記載の動的ハイパーリンクを提供するための方法。
【請求項３】
前記任意のディスプレイ・ビューの前記実行時に前記動的ハイパーリンクを確立するステップが、構成の変更又はダウンロードなしに、前記任意のディスプレイ・ビューの前記実行時に前記動的ハイパーリンクを確立することを含む、請求項１又は請求項２に記載の動的ハイパーリンクを提供するための方法。
【請求項４】
前記プロセス制御オブジェクトの名前若しくは場所の１つが変更されること、又は前記知識オブジェクトの名前若しくは場所の１つが変更されること、のうちの少なくとも一方であるときに、前記動的ハイパーリンク・データベースの前記エントリを更新するステップをさらに含む、請求項１〜請求項３の何れか１項に記載の動的ハイパーリンクを提供するための方法。
【請求項５】
前記プロセス制御オブジェクトが、クラス・オブジェクトであり、前記動的ハイパーリンクを提供するための方法が、
前記クラス・オブジェクトの各サブクラス・オブジェクトについての、前記各サブクラス・オブジェクトと前記知識参照との間の関連付けを特定する、サブクラス動的ハイパーリンクを自動的に定義するステップと、
前記サブクラス動的ハイパーリンクを前記動的ハイパーリンク・データベースの別のエントリに格納するステップと、
前記各サブクラス・オブジェクトを含む任意のディスプレイ・ビューの実行時に前記サブクラス動的ハイパーリンクを確立するステップと、
をさらに含む、請求項１〜請求項４の何れか１項に記載の動的ハイパーリンクを提供するための方法。
【請求項６】
新しいプロセス制御オブジェクトが前記プロセス制御システムにおいて定義されたときに、
利用可能な知識オブジェクトのリストを検索するステップと、
前記新しいプロセス制御オブジェクトに対応する前記利用可能な知識オブジェクトのリストのサブセットを識別するステップと、
前記利用可能な知識オブジェクトのリストの前記サブセットの各々についての、前記新しいプロセス制御オブジェクトを前記利用可能な知識オブジェクトのリストの前記サブセットの前記各々と関連付ける、別個の動的ハイパーリンクを定義するステップと、
前記別個の動的ハイパーリンクを前記動的ハイパーリンク・データベースに格納するステップと、
前記新しいプロセス制御オブジェクトを含む任意のディスプレイ・ビューの実行時に前記別個の動的ハイパーリンクを確立するステップと、
をさらに含む、請求項１〜請求項５の何れか１項に記載の動的ハイパーリンクを提供するための方法。
【請求項７】
動的ハイパーリンク管理動作のセットについてのユーザ・インターフェースを提供するステップをさらに含み、動的ハイパーリンク管理動作の前記セットが、作成、定義、削除、修正、閲覧、検索又はリンクのうちの少なくとも１つを含んでいる、請求項１〜請求項６の何れか１項に記載の動的ハイパーリンクを提供するための方法。
【請求項８】
前記ユーザ・インターフェースを提供するステップが、
特定のプロセス制御オブジェクトの選択により前記ユーザ・インターフェースを提供するステップと、
特定の知識オブジェクトの選択により前記ユーザ・インターフェースを提供するステッ
プと、又は、
ドロップダウン・メニュー、ディスプレイ制御、又はドラッグ・アンド・ドロップ動作のうちの少なくとも１つを介して前記ユーザ・インターフェースを提供するステップと、のうちの少なくとも１つを含む、請求項１〜請求項７の何れか１項に記載の動的ハイパーリンクを提供するための方法。
【請求項９】
動的ハイパーリンク管理動作の前記セットについての前記ユーザ・インターフェースを提供するステップが、ユーザの権限レベル、前記ユーザが所属するグループの権限レベル、プラント場所、プラント領域、選択されたプロセス制御オブジェクトの主題、ワークステーション又はコンピューティング機器、又は選択された知識オブジェクト、のうちの少なくとも１つに基づいて、前記動的ハイパーリンク管理動作のセットの少なくとも１つについての前記ユーザ・インターフェースを表示することを含む、請求項１〜請求項８の何れか１項に記載の動的ハイパーリンクを提供するための方法。
【請求項１０】
前記動的ハイパーリンクに対応するアクセス許可を格納するステップをさらに含み、
前記アクセス許可が、ユーザの権限レベル又はユーザのグループの権限レベルに対応し、
前記アクセス許可が、前記動的ハイパーリンクの作成、閲覧、修正又は削除のうちの少なくとも１つへの許可を示す、請求項１〜請求項９の何れか１項に記載の動的ハイパーリンクを提供するための方法。
【請求項１１】
前記動的ハイパーリンク・データベースの前記エントリが、有効期限又は有効期限間隔
の指示をさらに含み、前記有効期限又は前記有効期限間隔の有効期限になると、前記動的ハイパーリンクが使用不能になり、前記エントリが前記動的ハイパーリンク・データベースから削除される、請求項１〜請求項１０の何れか１項に記載の動的ハイパーリンクを提供するための方法。
【請求項１２】
プロセス制御システムにおける知識参照へのアクセスを提供する方法が、
前記プロセス制御システムにおけるコンピューティング機器の画面上にディスプレイ・ビューを提示するステップと、
動的ハイパーリンク・データベースのエントリに基づいて、前記ディスプレイ・ビュー上に展開されたプロセス制御オブジェクトに対応する動的ハイパーリンクを識別するステップであって、前記動的ハイパーリンクは、前記プロセス制御オブジェクトと前記プロセス制御システムによってアクセス可能な知識参照に対応する知識オブジェクトとの間の関連付けを特定し、前記動的ハイパーリンクは、前記ディスプレイ・ビューの定義又は構成とは独立している動的ハイパーリンクを識別するステップと、
前記動的ハイパーリンクを表示するステップと、
前記動的ハイパーリンクのユーザ選択の指示を受け取ったときに前記知識参照を表示するステップと、
を含む知識参照へのアクセスを提供する方法。
【請求項１３】
前記プロセス制御オブジェクトが特定の知識参照のコンテンツに対応し、
前記動的ハイパーリンクを表示するステップが、前記特定の知識参照の前記コンテンツ内に埋め込まれた前記動的ハイパーリンクを表示するステップを含む、
請求項１２に記載の知識参照へのアクセスを提供する方法。
【請求項１４】
前記埋め込まれた動的ハイパーリンクが、前記特定の知識参照をリアルタイム・データにリンクして、前記特定の知識参照の前記コンテンツが表示されたときに前記リアルタイム・データの現在の値が表示されるようにする、請求項１２又は請求項１３に記載の知識参照へのアクセスを提供する方法。
【請求項１５】
前記知識参照を表示するステップが、前記知識参照を編集するためのユーザ・インターフェースと組み合わせて前記知識参照を表示するステップを含む、請求項１２〜請求項１４の何れか１項に記載の知識参照へのアクセスを提供する方法。
【請求項１６】
新しい動的ハイパーリンクを作成するステップであって、前記ディスプレイ・ビューを提示した後で、
選択されたプロセス制御オブジェクトの指示を受信するステップと、
前記プロセス制御システムによってアクセス可能である利用可能な知識参照のリストを表示するステップと、
利用可能な知識参照の前記リストから選択された知識参照の指示を受信するステップと、
前記選択されたプロセス制御オブジェクト及び前記選択された知識参照を指示している前記動的ハイパーリンク・データベースの新しいエントリを格納することを含む前記新しい動的ハイパーリンクを定義するステップと、を含む新しい動的ハイパーリンクを作成するステップ、
をさらに含む、請求項１２〜請求項１５の何れか１項に記載の知識参照へのアクセスを提供する方法。
【請求項１７】
前記プロセス制御オブジェクトに対応する前記動的ハイパーリンクを識別するステップが、前記プロセス制御オブジェクトに対応する１つよりも多い動的ハイパーリンクを識別するステップを含み、
前記動的ハイパーリンクを表示するステップが、前記１つよりも多い動的ハイパーリンクのリストを表示するステップを含む、請求項１２〜請求項１６の何れか１項に記載の方法。
【請求項１８】
前記１つよりも多い動的ハイパーリンクの前記リストを表示するステップが、前記リストについての検索オプションに対応するディスプレイ制御と組み合わせて前記リストを表示するステップを含む、請求項１２〜請求項１７の何れか１項に記載の知識参照へのアクセスを提供する方法。
【請求項１９】
プロセス制御プラントのプロセス制御システムに用いられる、知識参照へのアクセスを提供するための知識アクセス・システムであって、前記知識アクセス・システムが、
前記プロセス制御システムのファイアウォールの内部の第１集中型メモリに格納された構成データベースと、
前記プロセス制御システムにアクセス可能な第２集中型メモリ上に格納された動的ハイパーリンク・データベースであって、前記動的ハイパーリンク・データベースの各エントリが、特定の動的ハイパーリンクに対応し、前記構成データベースにおいて定義されたプロセス制御オブジェクトの指示と、前記プロセス制御システムによってアクセス可能な知識参照に対応する少なくとも１つの知識オブジェクトの指示とを含む、動的ハイパーリンク・データベースと、
前記プロセス制御システムと通信するコンピューティング機器上に展開されたディスプレイ・ビューと、
前記コンピューティング機器のメモリ上に格納され、前記コンピューティング機器のプロセッサによって実行されるように適合されるコンピュータで実行可能な命令を備える、知識アクセス・プロバイダと、
を備え、前記知識アクセス・プロバイダが、
前記動的ハイパーリンク・データベースに基づいて、前記展開されたディスプレイ・ビューに対応する少なくとも１つの動的ハイパーリンクを識別し、
前記少なくとも１つの動的ハイパーリンクを表示し、
選択された動的ハイパーリンクのユーザ指示を受信し、
前記選択された動的ハイパーリンクに対応する前記動的ハイパーリンク・データベースのエントリに基づいて、対応する知識参照のコンテンツを表示する、
ことが可能にされている、
知識アクセス・システム。
【請求項２０】
前記知識アクセス・プロバイダが、再構成又はダウンロードなしに、
前記選択された動的ハイパーリンクに対応する前記動的ハイパーリンク・データベースの前記エントリの修正と、
前記修正に基づく前記対応する知識参照の前記コンテンツの前記表示の更新と、
をさらに可能にする、請求項１９に記載の知識アクセス・システム。
【請求項２１】
前記動的ハイパーリンク・データベースについての監査動作をさらに備え、前記監査動作が、前記動的ハイパーリンク・データベースの前記各エントリについて、有効なプロセス制御オブジェクトと有効な知識オブジェクトの存在を保証する、請求項１９又は請求項２０に記載の知識アクセス・システム。